(57)【特許請求の範囲】
【請求項１】
配線ダクトの下面にダクト取付面が当接する器具本体と、
この器具本体の前記ダクト取付面で、前記配線ダクトの長手方向の一端に回転自在に設けられて、前記配線ダクトに差込み回転により電気的機械的に接続されるプラグ部と、
このプラグ部より前記器具本体の外方に延出して前記プラグ部を回転操作するレバーとを備え、
前記レバーは、前記ダクト取付面よりも下方に位置して前記プラグ部を前記配線ダクトに挿入できる姿勢で前記配線ダクトの下面に臨む挿入ガイド部を有するとともに、
前記ダクト取付面よりも上方に位置して前記プラグ部を前記配線ダクトに接続可能に回転した姿勢で前記配線ダクトの前記器具本体の前記一端側の下面に突っ張ることにより前記プラグ部を支点にして前記器具本体の前記レバーと反対側を押し上げる押上部を有することを特徴とする配線ダクト用器具。
【発明の詳細な説明】
【０００１】
【発明の属する技術分野】
この発明は、配線ダクト用照明器具などの配線ダクト用器具に関するものである。
【０００２】
【従来の技術】
従来例を図４および図５に示す。すなわち、この配線ダクト用照明器具は、配線ダクトＡの下面にダクト取付面５１が当接する器具本体５２と、この器具本体５２のダクト取付面５１で、配線ダクトＡの長手方向の一端に回転自在に設けられて、配線ダクトＡに差込み回転により電気的機械的に接続されるプラグ部５３と、このプラグ部５３より器具本体５２の外方に延出してプラグ部５３を回転操作するレバー５４とを備え、レバー５４に配線ダクトＡの下面に接するダクト取付面５１と面一のつば部５５を設けている。５６は器具本体５２に設けられた灯具である。
【０００３】
【発明が解決しようとする課題】
従来は、ダクト下面に接するつば部５５が片側だけにあり、取付け状態でダクト下面に接するつば部５５の上面が器具本体５２のダクト取付面５１と面一なため、自重で下がろうとする器具本体５２を支える機能はあるが、押し上げる機能がない。
【０００４】
その結果、図５に示すようにプラグ部５３を中心としてレバー５４と反対側に器具本体５２および灯具５６の重量が集中する照射方向の場合に、配線ダクトＡと器具本体５２の間に隙間５７が生じるという問題点がある。この隙間５７は本体長さが長いほど大きくなる。
【０００５】
したがって、この発明の目的は、器具本体と配線ダクトとの間の隙間をなくすことができる配線ダクト用器具を提供することである。
【０００６】
【課題を解決するための手段】
請求項１記載の配線ダクト用器具は、配線ダクトの下面にダクト取付面が当接する器具本体と、
この器具本体の前記ダクト取付面で、前記配線ダクトの長手方向の一端に回転自在に設けられて、前記配線ダクトに差込み回転により電気的機械的に接続されるプラグ部と、
このプラグ部より前記器具本体の外方に延出して前記プラグ部を回転操作するレバーとを備え、
前記レバーは、前記ダクト取付面よりも下方に位置して前記プラグ部を前記配線ダクトに挿入できる姿勢で前記配線ダクトの下面に臨む挿入ガイド部を有するとともに、
前記ダクト取付面よりも上方に位置して前記プラグ部を前記配線ダクトに接続可能に回転した姿勢で前記配線ダクトの前記器具本体の前記一端側の下面に突っ張ることにより前記プラグ部を支点にして前記器具本体の前記レバーと反対側を押し上げる押上部を有することを特徴とするものである。
【０００７】
請求項１記載の配線ダクト用器具によれば、レバーに設けた押上部により配線ダクトを突っ張るので、器具本体は配線ダクトに接続されたプラグ部を支点にレバーと反対側が押し上げられる。このため、器具本体と配線ダクトとの間の従来の隙間をなくすことができる。またレバーに挿入ガイド部を設けたため、レバーの押上部を配線ダクトの下方に移動しやすい。
【０００８】
【発明の実施の形態】
この発明の第１の実施の形態を図１および図２により説明する。すなわち、この配線ダクト用照明器具は、器具本体１と、プラグ部２と、レバー３とを有する。
【０００９】
器具本体１は、配線ダクトＡの下面にダクト取付面５が当接する。通常の配線ダクトは、略溝形鋼の断面構造を有し、その相対向する内側面に長手方向に沿って導体を配置し、また開口縁に長手方向に沿って相対向方向に突出する係止片を設けた構造である。実施の形態の器具本体１はダクト取付面５に配線ダクトＡの開口内に進入する突出部６を有し、また器具本体１の下面の配線ダクトＡの長手方向の一端側よりアーム７を垂下し、アーム７の下端部に灯具８を首振り自在にＴけている。突出部６が配線ダクトＡの開口に係合することにより配線ダクトＡから横方向のずれを防止することができる。
【００１０】
プラグ部２は、器具本体１のダクト取付面５で、配線ダクトＡの長手方向の一端に回転自在に設けられて、配線ダクトＡに差込み回転により電気的機械的に接続される。実施の形態のプラグ部２はダクト取付面５のアーム７と同じ位置でダクト取付面５より上方に突出している。このプラグ部２の上端部の両側に配線ダクトＡの導体に回転により接触する接触片９を張出し、プラグ部２の接触片９の下側にダクト取付面５が配線ダクトＡの下面に当接した状態で配線ダクトＡの係止片の内側上面に回転により係止する取付片１０を張出している。そして、プラグ部２の接触片９より、器具本体１およびアーム７内を通して灯具８に給電されるようにしている。
【００１１】
レバー３は、プラグ部２より器具本体１の外方に延出してプラグ部２を回転操作する。レバー３は、ダクト取付面５よりも下方に位置してプラグ部２を配線ダクトＡに挿入できる姿勢で配線ダクトＡの下面に臨む挿入ガイド部１２を有するとともに、ダクト取付面５よりも上方に位置してプラグ部２を配線ダクトＡに接続可能に回転した姿勢で配線ダクトＡの器具本体１の一端側の下面を押し上げる押上部１３を有する。実施の形態では、プラグ部２の取付片１０の下部にレバー３の端部が連結され、レバー３の先端は下向きに折れ曲がって器具本体１の一端面に延出する略Ｌ字形をなし、レバー３の屈曲部にダクト取付面５と略面一のつば部１４が配線ダクトＡの幅方向に延びるように形成され、挿入ガイド部１２および押上部１３が図２に示すように連続する傾斜面をなすようにつば部１４に形成されている。
【００１２】
図１の状態は配線ダクトＡに取付られた状態であり、この状態から照明器具を外すときはレバー３を略９０度図１の紙裏側へ回動する。これにより接触片９および取付片１０が配線ダクトＡの長手方向に向くので配線ダクトＡの開口より下方に引き下ろすことができる。反対に照明器具を配線ダクトＡに取付けるときは、レバー３の位置を器具本体１を引き下げたときの状態にして、器具本体１を配線ダクトＡに持ち上げ、突出部６およびプラグ部２を開口内に挿入し、その状態でレバー３を図１の状態に略９０度回転する。このとき、接触片９が導体に接触すると同時に取付片１０が係止片に係止し、かつ挿入ガイド部１２が配線ダクトＡの下面に摺動し続いて押上部１３が配線ダクトＡに当接して配線ダクトＡに対して突っ張る。この結果、器具本体１は配線ダクトＡの係止片に係止した取付片１０を支点にレバー３と反対側が配線ダクトＡに近づくように押上げられ、配線ダクトＡと器具本体１のダクト取付面５との間の隙間が生じなくなる。
【００１３】
第１の実施の形態によれば、挿入ガイド部１２により配線ダクトＡに嵌めやすくなる。また押上部１３により本体押上力が十分にあり、レバー５４と反対側に器具本体５２および灯具５６の重量が集中する照射方向の場合や、器具本体１が長い場合でも配線ダクトＡとの間に従来のような隙間５７が生じない。
【００１４】
この発明の第２の実施の形態を図３により説明する。すなわち、この配線ダクト用照明器具は、第１の実施の形態と比べて、挿入ガイド部１２がつば部１４に傾斜状の段部を介して設けられ、押上部１３はつば部１４に配線ダクトＡの長手方向に直交する突条１３により形成されている点が異なる。その他は第１の実施の形態と同様である。
【００１５】
【発明の効果】
請求項１記載の配線ダクト用器具によれば、レバーに設けた押上部により配線ダクトを突っ張るので、器具本体は配線ダクトに接続されたプラグ部を支点にレバーと反対側が押し上げられる。このため、器具本体と配線ダクトとの間の従来の隙間をなくすことができる。またレバーに挿入ガイド部を設けたため、レバーの押上部を配線ダクトの下方に移動しやすい。
【図面の簡単な説明】
【図１】この発明の第１の実施の形態の側面図である。
【図２】（ａ）はレバーの部分斜視図、（ｂ）はレバーおよびプラグ部を示す部分側面図である。
【図３】第２の実施の形態を示し、（ａ）はレバーの部分斜視図、（ｂ）はレバーおよびプラグ部を示す部分側面図である。
【図４】従来例の配線ダクト用照明器具の斜視図である。
【図５】配線ダクト用照明器具を配線ダクトに取付けた状態の側面図である。
【符号の説明】
１    器具本体
２    プラグ部
３    レバー
５    ダクト取付面
１２    挿入ガイド部
１３    押上部
Ａ    配線ダクト
【図１】
0003794203.tif 000002
【図２】
0003794203.tif 000003
【図３】
0003794203.tif 000004
【図４】
0003794203.tif 000005
【図５】
0003794203.tif 000006